【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
業務の発注者端末および受注者端末と通信可能に接続される業務受発注仲介装置であって、
前記業務受発注仲介装置は、
前記発注者端末から送信される業務の発注情報を取得して管理する発注情報管理手段と、
前記受注者端末から送信される前記発注情報に対する成果物が、業務上の納品物としての合格基準を満たしているか否かをチェックする成果物チェック手段と、
前記成果物チェック手段によって前記合格基準が満たされていると判定された場合に、前記成果物を前記発注者端末に送信する成果物送信手段と、
を備えることを特徴とする業務受発注仲介装置。
【請求項２】
請求項１に記載の業務受発注仲介装置において、
受注者が不正行為を行う可能性があると判定できる条件に該当した場合、前記受注者端末による前記発注情報の受注を規制することで、前記不正行為を抑制する不正行為抑制手段を備える
ことを特徴とする業務受発注仲介装置。
【請求項３】
請求項２に記載の業務受発注仲介装置において、
前記不正行為抑制手段は、前記発注情報が前記受注者端末に送信されてから、制限時間内に、前記受注者端末から前記成果物が受信されなかった場合、前記受注者端末による前記発注情報の受注を取り消す
ことを特徴とする業務受発注仲介装置。
【請求項４】
請求項２または請求項３に記載の業務受発注仲介装置において、
前記不正行為抑制手段は、前記成果物チェック手段で所定回数連続して前記成果物が前記合格基準を満たさないと判定された場合、前記発注情報の受注を規制する
ことを特徴とする業務受発注仲介装置。
【請求項５】
請求項１から請求項４のいずれかに記載の業務受発注仲介装置において、
受注要求のあった受注者端末に割り当てる発注情報を、複数の発注情報からランダムに設定することで、受注者による不正行為を抑制する不正行為抑制手段を備える
ことを特徴とする業務受発注仲介装置。
【請求項６】
請求項１から請求項５のいずれかに記載の業務受発注仲介装置において、
前記成果物チェック手段で前記成果物が前記合格基準を満たしていないと判定された回数に基づいて、前記合格基準を調整することで、受注者による不正行為を抑制する不正行為抑制手段を備える
ことを特徴とする業務受発注仲介装置。
【請求項７】
請求項１から請求項６のいずれかに記載の業務受発注仲介装置において、
前記成果物チェック手段で前記合格基準が満たされていると判定された場合に、受注者に対して報酬の支払処理を行う決済管理手段を備える
ことを特徴とする業務受発注仲介装置。
【請求項８】
請求項７に記載の業務受発注仲介装置において、
前記決済管理手段は、前記発注者端末から前記発注情報が送信される際、前記報酬を発注者から受け取る処理を実行する
ことを特徴とする業務受発注仲介装置。
【請求項９】
請求項１から請求項８のいずれかに記載の業務受発注仲介装置において、
前記発注情報を受注者が受注可能であるか否かを、受注者の能力を示すランクに基づいて判定し、受注可能であると判定した場合に、前記発注情報を前記受注者端末に送信する発注情報送信手段を備える
ことを特徴とする業務受発注仲介装置。
【請求項１０】
請求項９に記載の業務受発注仲介装置において、
前記ランクを管理する受注者管理手段を備え、
前記受注者管理手段は、前記成果物チェック手段によるチェック結果に基づいて、前記ランクを変更する
ことを特徴とする業務受発注仲介装置。
【請求項１１】
業務の発注者端末および受注者端末と通信可能に接続される業務受発注仲介装置であって、
前記業務受発注仲介装置は、
前記発注者端末から送信される業務の発注情報を取得して管理する発注情報管理手段と、
前記受注者端末から送信される前記発注情報に対する成果物を前記発注者端末に送信する成果物送信手段と、
受注者が不正行為を行う可能性があると判定できる条件に該当した場合、前記受注者端末による前記発注情報の受注を規制することで、前記不正行為を抑制する不正行為抑制手段と、
を備えることを特徴とする業務受発注仲介装置。
【請求項１２】
請求項１から請求項１１のいずれかに記載の業務受発注仲介装置と、
前記業務受発注仲介装置に対して双方向通信可能に接続される発注者端末と、
前記業務受発注仲介装置に対して双方向通信可能に接続される受注者端末と、を備えた
ことを特徴とする業務受発注仲介システム。
【請求項１３】
業務の発注者端末および受注者端末と通信可能に接続される業務受発注仲介装置により実行される業務受発注仲介方法であって、
前記業務受発注仲介装置が、
前記発注者端末から送信される業務の発注情報を取得して管理し、
前記受注者端末から送信される前記発注情報に対する成果物が、業務上の納品物としての合格基準を満たしているか否かをチェックし、
前記チェックによって前記合格基準が満たされていると判定された場合に、前記成果物を前記発注者端末に送信する、
ことを特徴とする業務受発注仲介方法。
【請求項１４】
業務の発注者端末および受注者端末と通信可能に接続される業務受発注仲介装置により実行される業務受発注仲介プログラムであって、
前記業務受発注仲介装置に、
前記発注者端末から送信される業務の発注情報を取得して管理するステップと、
前記受注者端末から送信される前記発注情報に対する成果物が、業務上の納品物としての合格基準を満たしているか否かをチェックするステップと、
前記チェックによって前記合格基準が満たされていると判定された場合に、前記成果物を前記発注者端末に送信するステップと、
を実行させることを特徴とする業務受発注仲介プログラム。
【手続補正２】
【補正対象書類名】明細書
【補正対象項目名】０００６
【補正方法】変更
【補正の内容】
【０００６】
本発明の一側面は、業務の発注者端末および受注者端末と通信可能に接続される業務受発注仲介装置であって、前記業務受発注仲介装置は、前記発注者端末から送信される業務の発注情報を取得して管理する発注情報管理手段と、前記受注者端末から送信される前記発注情報に対する成果物が、業務上の納品物としての合格基準を満たしているか否かをチェックする成果物チェック手段と、前記成果物チェック手段によって前記合格基準が満たされていると判定された場合に、前記成果物を前記発注者端末に送信する成果物送信手段と、を備えることを特徴とする。
【手続補正３】
【補正対象書類名】明細書
【補正対象項目名】０００７
【補正方法】変更
【補正の内容】
【０００７】
本発明の一側面は、業務の発注者端末および受注者端末と通信可能に接続される業務受発注仲介装置により実行される業務受発注仲介方法であって、前記業務受発注仲介装置が、前記発注者端末から送信される業務の発注情報を取得して管理し、前記受注者端末から送信される前記発注情報に対する成果物が、業務上の納品物としての合格基準を満たしているか否かをチェックし、前記チェックによって前記合格基準が満たされていると判定された場合に、前記成果物を前記発注者端末に送信する、ことを特徴とする。
【手続補正４】
【補正対象書類名】明細書
【補正対象項目名】０００８
【補正方法】変更
【補正の内容】
【０００８】
本発明の一側面は、業務の発注者端末および受注者端末と通信可能に接続される業務受発注仲介装置により実行される業務受発注仲介プログラムであって、前記業務受発注仲介装置に、前記発注者端末から送信される業務の発注情報を取得して管理するステップと、前記受注者端末から送信される前記発注情報に対する成果物が、業務上の納品物としての合格基準を満たしているか否かをチェックするステップと、前記チェックによって前記合格基準が満たされていると判定された場合に、前記成果物を前記発注者端末に送信するステップと、を実行させることを特徴とする。